(57)【要約】【課題】  本体枠の保管スペースを小さくする。【解決手段】  本体枠３は、上本体枠２１と下本体枠２２とを備える。上本体枠２１と下本体枠２２とを、本体回動軸２５に回動可能に取り付ける。貯留タンク２４を、上本体枠２１の上側端部に形成されたタンク回動軸２１ｃに回動可能に取り付ける。貯留皿７及び操作ハンドル８が設けられた貯留ユニット１０を、下本体枠２２の下側端部に形成されたユニット回動軸２２ｃに回動可能に取り付ける。貯留ユニット１０を収納位置に回動し、下保持部２２ｆにより保持させる。貯留タンク２４を収納位置に回動し、下保持部２１ｆにより保持させる。下本体枠２２を折り曲げ位置に回動する。貯留ユニット１０の貯留皿７の貯留凹部７ａと、貯留タンク２４の貯留凹部２４ａとにより形成されるスペースに、パチンコ機２に使用する電気コードやコネクタ等の部材を収納する。【選択図】        図６
2005253524.tif 000002
【特許請求の範囲】
【請求項１】
遊技球を流下させるとともに流下させた前記遊技球を受容して検知する入賞装置が設けられた遊技領域を有する遊技盤及び前記入賞装置の検知に応じて前記遊技球を払い出す制御を行う制御装置を支持する枠状に形成された本体基部と、
前記遊技領域に前記遊技球を発射する発射装置とを備えた弾球遊技機であって、
前記本体基部の外部に突出する突出位置と、前記本体基部の内部に収納される収納位置との間で変位し、前記遊技球を貯留する貯留手段と、
前記本体基部に設けられ、前記貯留手段を変位可能に支持する貯留手段支持部と、
前記本体基部に設けられ、前記貯留手段を前記突出位置と前記収納位置とでそれぞれ保持する貯留手段保持部とを備えたことを特徴とする弾球遊技機。
【請求項２】
前記本体基部は、水平方向に設けられた回動軸を中心に回動可能に連設される第１基部と第２基部とを備え、前記第１基部と前記第２基部とは、それぞれ上側と下側とに位置し鉛直状態となる鉛直位置と、前記第２基部が前記第１基部の前面側または後面側に位置する折り曲げ位置との間で回動することを特徴とする請求項１記載の弾球遊技機。
【請求項３】
前記貯留手段は、前記第１基部に取り付けられ、前記制御装置により払い出すための前記遊技球を貯留する凹状の第１貯留凹部を有する第１貯留部と、前記第２基部に取り付けられ、前記発射装置で発射するための前記遊技球を貯留する凹状の第２貯留凹部を有する第２貯留部とを備え、
前記第１貯留部と前記第２貯留部とをそれぞれ前記収納位置に変位させ、前記第１基部と前記第２基部とを前記折り曲げ位置に回動したときに、前記第１貯留凹部と前記第２貯留凹部とが向き合い、略閉鎖空間を形成することを特徴とする請求項２記載の弾球遊技機。
【請求項４】
前記第１基部と前記第２基部とを前記折り曲げ位置に位置させた状態において、前記第１基部に着脱自在に取り付けられる第１取付部と、前記第２基部に着脱自在に取り付けられる第２取付部と、前記第１取付部と前記第２取付部とを連設する把持可能な把持部とを有し、前記第１基部と前記第２基部とを係合する係合把持手段を備えたことを特徴とする請求項２または３記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
近年のパチンコ機は、遊技領域が形成され、始動入賞口、払出入賞口、アタッカが設けられた遊技盤と、図柄可変表示装置や制御回路基板が組み付けられた支持体とを備えた遊技盤ユニットを、本体枠に着脱自在に取り付けている。本体枠の下方には、遊技領域にパチンコ球を打ち出す球発射装置に供給するパチンコ球を貯留する貯留皿が、本体枠の上方には、始動入賞口、払出入賞口、アタッカにパチンコ球が入賞したことに応じて制御装置により制御される球払出装置から払い出すためのパチンコ球を貯留する貯留タンクがそれぞれ取り付けられている。このようなパチンコ機では、貯留皿及び貯留タンクが取り付けられた本体枠を、複数の機種で共通部品として使用し、機種に応じた遊技盤ユニットを本体枠に取り付けることにより、複数の機種のパチンコ機を製造している。そのため、貯留皿及び貯留タンクが取り付けられた本体枠を作り置きして倉庫に保管しておき、パチンコ機を製造する場合には、製造するパチンコ機の機種に応じた遊技盤ユニットを製造して、作り置きしてある本体枠を倉庫から搬送して、この本体枠に遊技盤ユニットを取り付けている。また、近年では、パチンコ機をリサイクルする要望が高まっており、貯留皿及び貯留タンクが取り付けられた本体枠を、パチンコ機が設置される遊技場から回収して、一旦倉庫に保管した後に分解する必要がある。
【発明の開示】
【発明が解決しようとする課題】
【０００３】
しかしながら、貯留皿は本体枠の下方の前面から突出し、貯留タンクは本体枠の上方の後面から突出しており、貯留皿及び貯留タンクが取り付けられた本体枠を倉庫に保管する際に、これら貯留皿及び貯留タンクの部分が突出しているために、本体枠のみを保管するために必要な保管スペースに比べて大きな保管スペースが大きなものとなっていた。また、貯留皿及び貯留タンクの部分が突出しているために、本体枠を梱包する際に、これら貯留皿及び貯留タンクの部分がかさばってしまい、梱包しずらく、搬送する際にも搬送しずらいという問題があった。
【０００４】
本発明は、上記従来技術の問題を解決するためになされたものであり、本体枠の内部に遊技球を貯留する貯留手段を収納し、本体枠の保管スペースを小さくすることができる弾球遊技機を提供することを目的とする。
【課題を解決するための手段】
【０００５】
上記目的を達成するために、本発明の弾球遊技機は、遊技球を流下させるとともに流下させた前記遊技球を受容して検知する入賞装置が設けられた遊技領域を有する遊技盤及び前記入賞装置の検知に応じて前記遊技球を払い出す制御を行う制御装置を支持する枠状に形成された本体基部と、前記遊技領域に前記遊技球を発射する発射装置とを備えた弾球遊技機であって、前記本体基部の外部に突出する突出位置と、前記本体基部の内部に収納される収納位置との間で変位し、前記遊技球を貯留する貯留手段と、前記本体基部に設けられ、前記貯留手段を変位可能に支持する貯留手段支持部と、前記本体基部に設けられ、前記貯留手段を前記突出位置と前記収納位置とでそれぞれ保持する貯留手段保持部とを備えたことを特徴とする。
【０００６】
なお、前記本体基部は、水平方向に設けられた回動軸を中心に回動可能に連設される第１基部と第２基部とを備え、前記第１基部と前記第２基部とは、それぞれ上側と下側とに位置し鉛直状態となる鉛直位置と、前記第２基部が前記第１基部の前面側または後面側に位置する折り曲げ位置との間で回動することが好ましい。
【０００７】
また、前記貯留手段は、前記第１基部に取り付けられ、前記制御装置により払い出すための前記遊技球を貯留する凹状の第１貯留凹部を有する第１貯留部と、前記第２基部に取り付けられ、前記発射装置で発射するための前記遊技球を貯留する凹状の第２貯留凹部を有する第２貯留部とを備え、前記第１貯留部と前記第２貯留部とをそれぞれ前記収納位置に変位させ、前記第１基部と前記第２基部とを前記折り曲げ位置に回動したときに、前記第１貯留凹部と前記第２貯留凹部とが向き合い、略閉鎖空間を形成することが好ましい。
【０００８】
さらに、前記第１基部と前記第２基部とを前記折り曲げ位置に位置させた状態において、前記第１基部に着脱自在に取り付けられる第１取付部と、前記第２基部に着脱自在に取り付けられる第２取付部と、前記第１取付部と前記第２取付部とを連設する把持可能な把持部とを有し、前記第１基部と前記第２基部とを係合する係合把持手段を備えることが好ましい。
【発明の効果】
【０００９】
本発明の弾球遊技機によれば、遊技球を流下させるとともに流下させた遊技球を受容して検知する入賞装置が設けられた遊技領域を有する遊技盤及び入賞装置の検知に応じて遊技球を払い出す制御を行う制御装置を支持する枠状に形成された本体基部と、遊技領域に遊技球を発射する発射装置と、本体基部の外部に突出する突出位置と、本体基部の内部に収納される収納位置との間で変位し、遊技球を貯留する貯留手段と、本体基部に設けられ、貯留手段を変位可能に支持する貯留手段支持部と、本体基部に設けられ、貯留手段を突出位置と収納位置とでそれぞれ保持する貯留手段保持部とを備えたから、貯留手段を収納位置に変位すると、貯留手段は本体基部の内部に収納され、本体基部の外部に突出したものがなくなるため、本体基部を保管する際にかさばることがなく、保管するために必要な保管スペースを小さくすることができ、さらには、本体基部を搬送する際にも、搬送しやすくすることができる。
【００１０】
また、本体基部は、水平方向に設けられた回動軸を中心に回動可能に連設される第１基部と第２基部とを備え、第１基部と第２基部とは、それぞれ上側と下側とに位置し鉛直状態となる鉛直位置と、第２基部が第１基部の前面側または後面側に位置する折り曲げ位置との間で回動するから、第１基部と第２基部とを折り曲げ位置に回動すると、本体基部の高さを低くすることができるため、より一層本体基部を保管するために必要な保管スペースを小さくすることができ、さらには、本体基部を搬送する際にも、より一層搬送しやすくすることができる。
【００１１】
さらに、貯留手段は、第１基部に取り付けられ、制御装置により払い出すための遊技球を貯留する凹状の第１貯留凹部を有する第１貯留部と、第２基部に取り付けられ、発射装置で発射するための遊技球を貯留する凹状の第２貯留凹部を有する第２貯留部とを備え、第１貯留部と第２貯留部とをそれぞれ収納位置に変位させ、第１基部と第２基部とを折り曲げ位置に回動したときに、第１貯留凹部と第２貯留凹部とが向き合い、略閉鎖空間を形成するから、形成された略閉鎖空間に弾球遊技機に使用する電気コードやコネクタ等の部材を収納することができ、電気コードやコネクタ等を収納するための収納箱等の収納部材を使用する必要がなくなり、その分のコストダウンを図ることができる。
【００１２】
また、第１基部と第２基部とを折り曲げ位置に位置させた状態において、第１基部に着脱自在に取り付けられる第１取付部と、第２基部に着脱自在に取り付けられる第２取付部と、第１取付部と第２取付部とを連設する把持可能な把持部とを有し、第１基部と第２基部とを係合する係合把持手段を備えたから、係合把持手段により第１基部と第２基部とを折り曲げ位置に位置させた状態で係合することができ、係合把持手段の把持部を持つことにより本体基部を搬送することができるため、より一層容易に本体基部を搬送しやすくすることができる。
【発明を実施するための最良の形態】
【００１３】
図１に示すように、弾球遊技機の１実施例であるパチンコ機２は、本体枠（本体基部）３の内部に遊技盤４が配設されており、本体枠３の前面には前面扉５が開閉自在に取り付けられている。前面扉５の下方には、パチンコ球（遊技球）６を貯留する貯留皿７及びパチンコ球６の打ち出し強さを調節する操作ハンドル８が設けられた貯留手段としての貯留ユニット（第２貯留部）１０が詳しくは後述するように回動可能に取り付けられている。貯留皿７の上面には、パチンコ球６を貯留するための凹状の貯留凹部（第２貯留凹部）７ａが形成されている。遊技盤４のパチンコ球が打ち出される遊技領域４ａの略中央には、予め定められた入賞口へパチンコ球６を入賞させるなどの所定入賞条件に基づいて遊技中に様々な図柄を液晶画面に所定時間内において変動表示させた後に停止表示させる図柄可変表示装置１１が設けられている。図柄可変表示装置９の周りには始動入賞口（入賞装置）１２、通常入賞口（入賞装置）１３、アタッカ（入賞装置）１４、アウト口１５が設けられている。遊技者は、貯留皿７にパチンコ球６を投入してパチンコ球６を貯留皿７内に設けられた誘導路を介して図示しない球発射装置（発射装置）へと導き、回動式の操作ハンドル８を所定量回動して球発射装置の駆動を制御することで、遊技盤４の遊技領域４ａの上方に向けてパチンコ球６を打ち出す。打ち出されたパチンコ球６は遊技領域４ａの上方から流下する途中で各入賞口１２〜１４のいずれかに入るか、あるいはアウト口１５から回収される。なお、パチンコ機２の遊技領域４ａに設けられている複数の釘、風車などの構造物は公知であるので説明は省略する。始動入賞口１２、通常入賞口１３、アタッカ１４は、後述する制御装置１７に接続されている。
【００１４】
図２に示すように、前面扉５は、本体枠３の前面に開閉自在で着脱自在に取り付けられている。前面扉５の内側には、可視可能なガラス１６が取り付けられている。なお、前面扉５が閉じているロック状態であるときには、遊技者や遊技場の作業者は、ガラス１６を通して遊技盤４の遊技領域４ａを流下していくパチンコ球６を見ることはできるが、遊技盤４にはもちろんのこと本体枠３の内部にも触れることができないようになっている。
【００１５】
図３に示すように、本体枠３は、枠状に形成されており、上本体枠（第１基部）２１と下本体枠（第２基部）２２とを備える。遊技盤４、図柄可変表示装置１１、制御装置１７等を備えた遊技盤ユニット１８は、上本体枠２１の遊技盤係止部２１ａと下本体枠２２の遊技盤係止部２２ａとに交換可能に支持される。上本体枠２１の上面には、後述する把手（係合把持手段）３０を挿入するための略Ｌ字状の把手挿入孔２１ｂが形成されており、下本体枠２２の下面には、把手３０を挿入するための略Ｌ字状の把手挿入孔２２ｂが形成されている。上本体枠２１には、上本体枠２１の後面からに突出するように貯留手段としての貯留タンク（第１貯留部）２４が取り付けられている。この貯留タンク２４は、貯留皿７に払い出すためのパチンコ球６を貯留するものであり、詳しくは後述するように、上本体枠２１に回動可能に取り付けられている。制御装置１７は、始動入賞口１２、通常入賞口１３、アタッカ１４へのパチンコ球６の入賞に応じて、球払出装置（図示せず）を駆動して、入賞に応じた数量のパチンコ球６を貯留皿７に払い出す制御を行う。
【００１６】
図４に示すように、上本体枠２１と下本体枠２２とは、本体回動軸（回動軸）２５に回動可能に取り付けられており、下本体枠２２が上本体枠２１の上側に位置して上本体枠２１と鉛直状態となる鉛直位置と、下本体枠２２が上本体枠３ｃの後面側に位置して折り曲げられた状態となる折り曲げ位置（図６参照）との間で回動する。貯留皿７及び操作ハンドル８が設けられた貯留ユニット１０は、下本体枠２２の下側端部に形成されたユニット回動軸（貯留手段支持部）２２ｃに回動可能に取り付けられており、下本体枠２２の前面よりも前面側に突出した突出位置と、下本体枠２２内部に収納される収納位置（図５参照）との間で回動する。貯留ユニット１０の後面には、下本体枠２２のユニット保持凹部（貯留手段保持部）２２ｄに挿入するための凸状のユニット保持凸部１０ａが形成されている。
【００１７】
貯留タンク２４は、上本体枠２１の上側端部に形成されたタンク回動軸（貯留手段支持部）２１ｃに回動可能に取り付けられており、上本体枠２１の後面よりも後面側に突出した突出位置と、上本体枠２１内部に収納される収納位置（図５参照）との間で回動する。貯留タンク２４の上面には、パチンコ球６を貯留するための凹状の貯留凹部（第１貯留凹部）２４ａが形成されている。貯留タンク２４の前面には、上本体枠２１のタンク保持凹部（貯留手段保持部）２１ｄに挿入するための凸状のタンク保持凸部２４ｂが形成されている。
【００１８】
上本体枠２１の内周側面には、弓形状に形成された凹状のタンク保持凹部（貯留手段保持部）２１ｄが形成されている。このタンク保持凹部２１ｄには、貯留タンク２４のタンク保持凸部２４ｂが挿入されている。タンク保持凹部２１ｄの上側端部及び下側端部には、中心部よりも幅が細く形成された上保持部２１ｅ及び下保持部２１ｆが形成されており、貯留タンク２４をタンク回動軸２１ｃを中心に回動し、タンク保持凸部２４ｂをタンク保持凹部２１ｄの上側または下側の端部に位置させると、上保持部２１ｅまたは下保持部２１ｆによりタンク保持凸部２４ｂが保持され、貯留タンク２４が保持される。パチンコ機２を遊技場で使用する場合には、貯留タンク２４を突出位置に回動し、下保持部２１ｆによりタンクタンク保持凸部２４ｂを保持する。これにより、貯留タンク２４は突出位置で上本体枠２１に保持された状態となる。
【００１９】
下本体枠２２の内周側面には、弓形状に形成された凹状のユニット保持凹部（貯留手段保持部）２２ｄが形成されている。このユニット保持凹部２２ｄには、貯留ユニット１０のユニットユニット保持凸部１０ａが挿入されている。ユニット保持凹部２２ｄの上側端部及び下側端部には、中心部よりも幅が細く形成された上保持部２２ｅ及び下保持部２２ｆが形成されており、貯留ユニット１０をユニット回動軸２２ｃを中心に回動し、ユニット保持凸部１０ａをユニット保持凹部２２ｄの上側または下側の端部に位置させると、上保持部２２ｅまたは下保持部２２ｆにより、ユニット保持凸部１０ａが保持され、貯留ユニット１０が保持される。パチンコ機２を遊技場で使用する場合には、貯留ユニット１０を突出位置に回動し、下保持部２２ｆによりユニット保持凸部１０ａを保持する。これにより、貯留ユニット１０は突出位置で下本体枠２２に保持された状態となる。
【００２０】
図５に示すように、貯留ユニット１０を下本体枠２２内部に収納される収納位置に回動すると、ユニット保持凸部１０ａが下保持部２２ｆにより保持され、貯留ユニット１０は収納位置で下本体枠２２に保持された状態となる。貯留タンク２４を上本体枠２１内部に収納される収納位置に回動すると、タンク保持凸部２４ｂが下保持部２１ｆにより保持され、貯留タンク２４は収納位置で上本体枠２１に保持された状態となる。
【００２１】
上本体枠２１及び下本体枠２２を備えた本体枠３を搬送する際には、図６に示すように、下本体枠２２を折り曲げ位置に回動する。そして、図７に示すように、把手（係合把持手段）３０を把手挿入孔２１ｂ及び把手挿入孔２２ｂに挿入する。把手３０は、略コ字形状に形成された本体部（把持部）３０ａと、本体部３０ａの一方の先端部に形成され、把手挿入孔２１ｂに挿入するための凸状の第１挿入凸部（第１取付部）３０ｂと、本体部３０ａの他方の先端部に形成され、把手挿入孔２２ｂに挿入するための凸状の第２挿入凸部（第２取付部）３０ｃとを備えている。図８に示すように、第１挿入凸部３０ｂを略Ｌ字状の把手挿入孔２１ｂの長い方の一辺の先端部に、第２挿入凸部３０ｃを略Ｌ字状の把手挿入孔２２ｂの長い方の一辺の先端部にそれぞれ挿入した後に、第１挿入凸部３０ｂ及び第２挿入凸部３０ｃが把手挿入孔２１ｂ及び把手挿入孔２２ｂの短い方の一辺の先端部に位置するように把手３０を移動すると、把手３０が把手挿入孔２１ｂ及び把手挿入孔２２ｂから抜けなくなり、上本体枠２１と下本体枠２２とが係合された状態となり、本体部３０ａを持つことにより上本体枠２１及び下本体枠２２を持ち上げることができる。
【００２２】
上記のように構成されたパチンコ機２の作用について説明する。パチンコ機２を製造する際には、先ず、下本体枠２２を上本体枠２１に設けられた本体回動軸２１ｃに回動可能に取り付け、貯留皿７及び操作ハンドル８が設けられた貯留ユニット１０を下本体枠２２のユニット回動軸２２ｃに回動可能に取り付け、貯留タンク２４を、上本体枠２１のタンク回動軸２１ｃに回動可能に取り付ける。次に、貯留ユニット１０を下本体枠２２内部に収納される収納位置に回動し、貯留タンク２４を上本体枠２１内部に収納される収納位置に回動した後に、下本体枠２２を折り曲げ位置に回動する。このとき、貯留ユニット１０の貯留皿７の貯留凹部７ａと、貯留タンク２４の貯留凹部２４ａとにより形成されるスペース（略閉鎖空間）に、パチンコ機２に使用する電気コードやコネクタ等の部材を収納する。そして、上本体枠２１及び下本体枠２２を備えた本体枠３を、例えば保管用の倉庫などに搬送して一時的に保管する。本体枠３を搬送する際には、把手３０の第１挿入凸部３０ｂ及び第２挿入凸部３０ｃを、把手挿入孔２１ｂ及び把手挿入孔２２ｂに挿入する。この状態では、上本体枠２１と下本体枠２２とは係合された状態となり、本体部３０ａを持つことにより、上本体枠２１及び下本体枠２２を備えた本体枠３を持ち上げることができる。そして、本体枠３を、倉庫に搬送して保管する。このとき、本体部３０ａを持つことにより本体枠３を持ち上げることができるため、容易に本体枠３を搬送することができる。その後、倉庫に一時的に保管した本体枠３を、本体枠３に遊技盤ユニット１８を組み付ける工程ラインに搬送する。
【００２３】
遊技盤ユニット１８を組み付ける工程ラインに搬送された本体枠３に、遊技盤ユニット１８を組み付ける場合には、先ず、把手３０の第１挿入凸部３０ｂ及び第２挿入凸部３０ｃが略Ｌ字状の把手挿入孔２１ｂ及び把手挿入孔２２ｂの長い方の一辺に位置するように把手３０を移動して、把手３０を把手挿入孔２１ｂ及び把手挿入孔２２ｂから抜き、下本体枠２２を鉛直位置に回動する。このとき、貯留ユニット１０の貯留皿７の貯留凹部７ａと、貯留タンク２４の貯留凹部２４ａとにより形成されるスペースに収納されたパチンコ機２に使用する電気コードやコネクタ等の部材を取り出す。次に、貯留ユニット１０を突出位置に回動し、貯留タンク２４を突出位置に回動する。そして、上本体枠２１及び下本体枠２２に遊技盤ユニット１８を組み付ける。
【００２４】
このように、貯留タンク２４が取り付けられた上本体枠２１と、貯留ユニット１０が取り付けられた下本体枠２２とを備えた本体枠３を、倉庫に搬送して保管する際には、貯留ユニット１０は収納位置に回動されて下本体枠２２に保持され、貯留タンク２４は収納位置に回動されて上本体枠２１に保持され、下本体枠２２は折り曲げ位置に回動されて上本体枠２１と下本体枠２２とは把手３０により係合されており、本体枠３を倉庫に保管するときに、倉庫に保管する本体枠３の１個当りの保管スペースを小さくすることができ、従来のものに比べて、多くの本体枠３を倉庫に保管することができる。また、留タンク２４は収納位置に回動され、貯留ユニット１０は収納位置に回動されているから、本体枠３の前面及び後面から突出したものがなく、本体枠３を梱包するときに、容易に梱包することができるとともに、搬送するときに、搬送しやすくなる。さらに、把手３０の第１挿入凸部３０ｂ及び第２挿入凸部３０ｃを、把手挿入孔２１ｂ及び把手挿入孔２２ｂに挿入すると、上本体枠２１と下本体枠２２とが係合され、本体部３０ａを持つことにより、上本体枠２１及び下本体枠２２を備えた本体枠３を持ち上げることができるため、より一層容易に本体枠３を搬送することができる。また、下扉１０の貯留皿７の貯留凹部７ａと、貯留タンク２４の貯留凹部２４ａとにより形成されるスペースに、パチンコ機２に使用する電気コードやコネクタ等の部材を収納するから、電気コードやコネクタ等を収納するための収納箱等の収納部材を使用する必要がなくなり、その分のコストダウンを図ることができる。
【００２５】
なお、上記実施形態では、貯留ユニット１０を下本体枠２２に回動可能に取り付け、貯留タンク２４を上本体枠２１に回動可能に取り付けたが、貯留ユニット１０は、下本体枠２２の前面よりも前面側に突出した突出位置と、下本体枠２２内部に収納される収納位置との間で変位可能であればよく、貯留タンク２４は、上本体枠２１の後面よりも後面側に突出した突出位置と、上本体枠２１内部に収納される収納位置との間で変位可能であればよく、貯留ユニット１０を下本体枠２２に前後方向に移動可能に取り付け、貯留タンク２４を上本体枠２１に前後方向に移動可能に取り付けてもよく、適宜変更されるものである。
【００２６】
また、上記実施形態では、貯留皿７及び操作ハンドル８が設けられた貯留ユニット１０を、下本体枠２２の前面よりも前面側に突出した突出位置と、下本体枠２２内部に収納される収納位置（図５参照）との間で回動可能に、下本体枠２２の下側端部に形成されたユニット回動軸２２ｃに取り付けたが、図９に示すように、貯留ユニット１０を突出位置からさらに半時計方向に回動可能にしてもよく（例えば、９０°）、この場合には、貯留ユニット１０の後面側のメンテナンスを行いやすくすることができる。
【図面の簡単な説明】
【００２７】
【図１】本発明を実施したパチンコ機の外観を示す斜視図である。
【図２】前面扉を開けた状態のパチンコ機を示す斜視図である。
【図３】本体枠と遊技盤ユニットとを示す分解斜視図である。
【図４】本体枠と下本体枠と貯留タンクと貯留ユニットとを示す右側面断面図である。
【図５】貯留タンクと貯留ユニットとを収納位置に回動した状態の本体枠と下本体枠と貯留タンクと貯留ユニットとを示す右側面断面図である。
【図６】下本体枠を折り曲げ位置に回動した状態の本体枠と下本体枠と貯留タンクと貯留ユニットとを示す右側面断面図である。
【図７】下本体枠を折り曲げ位置に回動した状態の上本体枠と下本体枠と把手とを示す斜視図である。
【図８】把手を上本体枠と下本体枠とに取り付けた状態の上本体枠と下本体枠と把手とを示す斜視図である。
【図９】貯留ユニットを突出位置から半時計方向に９０°回動した状態の本体枠と下本体枠と貯留タンクと貯留ユニットとを示す右側面断面図である。
【符号の説明】
【００２８】
２  パチンコ機
３  本体枠
４  遊技盤
５  前面扉
６  パチンコ球（遊技球）
７  貯留皿
７ａ  貯留凹部（第２貯留凹部）
１０  貯留ユニット（第２貯留部）
１０ａ  ユニット保持凸部
１２  始動入賞口（入賞装置）
１３  通常入賞口（入賞装置）
１４  アタッカ（入賞装置）
１７  制御装置
２１  上本体枠（第１基部）
２１ｂ  把手挿入孔
２１ｃ  タンク回動軸（貯留手段支持部）
２１ｄ  タンク保持凹部（貯留手段保持部）
２１ｅ  上保持部
２１ｆ  下保持部
２２  下本体枠（第２基部）
２２ｂ  把手挿入孔
２２ｃ  ユニット回動軸（貯留手段支持部）
２２ｄ  ユニット保持凹部（貯留手段保持部）
２２ｅ  上保持部
２２ｆ  下保持部
２４  貯留タンク（第１貯留部）
２４ａ  貯留凹部（第１貯留凹部）
２４ｂ  タンク保持凸部
２５  本体回動軸（回動軸）
３０  把手（係合把持手段）
３０ａ  本体部
３０ｂ  第１挿入凸部（第１取付部）
３０ｃ  第２挿入凸部（第２取付部）
【図１】
2005253524.tif 000003
【図２】
2005253524.tif 000004
【図３】
2005253524.tif 000005
【図４】
2005253524.tif 000006
【図５】
2005253524.tif 000007
【図６】
2005253524.tif 000008
【図７】
2005253524.tif 000009
【図８】
2005253524.tif 000010
【図９】
2005253524.tif 000011